(57)【要約】【課題】閉鎖位置の戸パネルの側方に透光性の付与が可能でありながらも、施工性を向上し得る戸装置を提供する。【解決手段】戸装置１は、上枠１１並びにこの上枠の両端に接合される第１縦枠１４及び第２縦枠１５を有した戸枠１０と、透光板２５及びこの透光板の四周を囲むように固定されたフレームを有した透光壁パネル２０と、該透光壁パネルの幅方向一方側に形成される出入口８を開閉する戸パネル２７と、を備えており、前記透光壁パネルのフレームは、前記上枠に当接される上部フレーム２１と、前記第１縦枠に当接される第１側部フレーム２３と、下方側の当接対象２に当接される下部フレーム２２と、前記第１側部フレームよりも見込方向に沿う寸法が大とされ前記出入口を区画する中間縦枠１６が一体化された第２側部フレームと、を備えている。【選択図】図１
2018184797.tif 000002
【特許請求の範囲】
【請求項１】
上枠並びにこの上枠の両端に接合される第１縦枠及び第２縦枠を有した戸枠と、透光板及びこの透光板の四周を囲むように固定されたフレームを有した透光壁パネルと、該透光壁パネルの幅方向一方側に形成される出入口を開閉する戸パネルと、を備えており、
前記透光壁パネルのフレームは、前記上枠に当接される上部フレームと、前記第１縦枠に当接される第１側部フレームと、下方側の当接対象に当接される下部フレームと、前記第１側部フレームよりも見込方向に沿う寸法が大とされ前記出入口を区画する中間縦枠が一体化された第２側部フレームと、を備えていることを特徴とする戸装置。
【請求項２】
請求項１において、
前記上枠には、前記透光壁パネルの上部フレームが嵌め込まれる凹溝が設けられていることを特徴とする戸装置。
【請求項３】
請求項２において、
前記中間縦枠の上端側には、前記上枠の凹溝に嵌め込まれる突部が設けられていることを特徴とする戸装置。
【請求項４】
請求項１乃至３のいずれか１項において、
前記透光壁パネルの上部フレーム、第１側部フレーム及び下部フレームは、金属系材料または合成樹脂系材料から形成され、前記中間縦枠及び前記戸枠は、木質系材料から形成されていることを特徴とする戸装置。
【発明の詳細な説明】
【技術分野】
【０００１】
本発明は、出入口を開閉する戸パネルを備えた戸装置に関する。
【背景技術】
【０００２】
従来より、住居等の建物の出入口を開閉する引戸や折戸、開き戸等の戸パネルを備えた戸装置が知られている。
このような戸装置は、上枠、一対の縦枠及びこれら一対の縦枠間に配される中間縦枠（中方立）を備えた戸枠を設置した後に、一方の縦枠と中間縦枠との間に袖壁を構成する下地や面材を設置して施工される（例えば、下記特許文献１参照）。
【先行技術文献】
【特許文献】
【０００３】
【特許文献１】特開２０１３−１４２２３８号公報
【発明の概要】
【発明が解決しようとする課題】
【０００４】
しかしながら、上記のような戸装置では、戸枠の中間縦枠を位置決めして設置した後に、袖壁を構成する部材を位置決めして設置する必要があり、更なる改善が望まれる。また、このような戸パネルに採光のためや空間演出性の観点等から透光部や採光窓を設けたものがあるが、閉鎖位置の戸パネルの周囲に透光性を付与したい場合があった。
【０００５】
本発明は、上記実情に鑑みてなされたものであり、閉鎖位置の戸パネルの側方に透光性の付与が可能でありながらも、施工性を向上し得る戸装置を提供することを目的としている。
【課題を解決するための手段】
【０００６】
上記目的を達成するために、本発明に係る戸装置は、上枠並びにこの上枠の両端に接合される第１縦枠及び第２縦枠を有した戸枠と、透光板及びこの透光板の四周を囲むように固定されたフレームを有した透光壁パネルと、該透光壁パネルの幅方向一方側に形成される出入口を開閉する戸パネルと、を備えており、前記透光壁パネルのフレームは、前記上枠に当接される上部フレームと、前記第１縦枠に当接される第１側部フレームと、下方側の当接対象に当接される下部フレームと、前記第１側部フレームよりも見込方向に沿う寸法が大とされ前記出入口を区画する中間縦枠が一体化された第２側部フレームと、を備えていることを特徴とする。
【発明の効果】
【０００７】
本発明に係る戸装置は、上述のような構成としたことで、閉鎖位置の戸パネルの側方に透光性の付与が可能でありながらも、施工性を向上させることができる。
【図面の簡単な説明】
【０００８】
【図１】（ａ）、（ｂ）は、本発明の一実施形態に係る戸装置の一例を模式的に示し、（ａ）は、図２におけるＸ−Ｘ線矢視に対応させた一部破断概略縦断面図、（ｂ）は、図２におけるＹ−Ｙ線矢視に対応させた一部破断概略横断面図である。
【図２】同戸装置を設置した状態を模式的に示す概略正面図である。
【図３】（ａ）、（ｂ）は、同戸装置の施工方法の一例を模式的に示し、（ａ）は、一部破断概略正面図、（ｂ）は、一部破断概略分解斜視図である。
【図４】同施工方法の一例を模式的に示し、（ａ）は、図１（ａ）に対応させた一部を省略した一部破断概略縦断面図、（ｂ）は、一部破断概略正面図である。
【図５】（ａ）、（ｂ）は、本発明の他の実施形態に係る戸装置の一例を模式的に示し、（ａ）は、図１（ａ）に対応させた一部破断概略縦断面図、（ｂ）は、図１（ｂ）に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る戸装置を設置した状態を基準として上下方向等の方向を説明する。
【００１０】
図１〜図４は、第１実施形態に係る戸装置の一例を模式的に示す図である。
本実施形態に係る戸装置１は、図１及び図２に示すように、上枠１１並びに上枠１１の両端に接合される第１縦枠１４及び第２縦枠１５を有した戸枠１０を備えている。また、戸装置１は、透光壁パネル２０と、この透光壁パネル２０の幅方向一方側に形成される出入口８を開閉する戸パネル２７と、を備えている。また、戸装置１は、第１縦枠１４と第２縦枠１５との間に配設され、透光壁パネル２０に一体化された中間縦枠（中方立）１６を備えている。
この戸装置１は、住居等の建物の間仕切壁等の壁体３を貫通するように設けられる開口部４に設置される。開口部４は、下側が床２によって区画され、上側が上枠１１の枠下地によって区画され、開口幅方向両側が両側の縦枠（第１縦枠１４及び第２縦枠１５）１４，１５の枠下地によって区画されている。
【００１１】
戸パネル２７は、一方向（上下方向）に長尺な略矩形平板状とされている。この戸パネル２７によって開閉される出入口８は、下側が床２によって区画され、上側が上枠１１（本実施形態では、後記するように上枠１１の下面に貼着された化粧シート７）によって区画され、開口幅方向両側が第２縦枠１５及び中間縦枠１６によって区画されている。本実施形態では、この出入口８の開口高を、床２から天井までの高さとしている。つまり、出入口８の下方側に向く天面と天井面とが面一状とされている。
【００１２】
また、本実施形態では、この出入口８を開閉する戸パネル２７の戸高寸法（長さ寸法）を、天井高に応じた寸法としている。この戸パネル２７の戸高寸法は、上端部及び下端部が天井及び床２に干渉しないように、天井高よりも僅かに小さい寸法としてもよい。この戸パネル２７の戸高寸法は、開口高（天井高）に応じて、２４００ｍｍ〜３０００ｍｍ程度としてもよい。なお、開口高が天井高よりも低く、出入口８の上側に垂れ壁状の壁部等が設けられる場合には、標準的な戸高寸法、例えば、１８００ｍｍ〜２１００ｍｍ程度としてもよい。また、戸パネル２７の戸幅寸法は、出入口８の開口幅に応じた寸法であればよく、６００ｍｍ〜１２００ｍｍ程度でもよい。また、戸パネル２７の戸厚寸法は、２０ｍｍ〜４０ｍｍ程度でもよい。
【００１３】
また、本実施形態では、戸パネル２７を、戸幅方向にスライド自在とされた引戸としている。また、戸装置１に、片引き状に開閉される一枚の戸パネル２７を設けた構成としている。また、開放位置とされた戸パネル２７の戸厚方向一方側に透光壁パネル２０が配される構成としている。つまり、本実施形態では、透光壁パネル２０は、開放位置の戸パネル２７が沿わせられる袖壁として機能する。
この戸パネル２７の上端部には、図１（ａ）及び図２に示すように、天井側に設けられる上レール１２にガイドされる被ガイド部を構成するランナー２８が設けられている。図例では、戸パネル２７の上端部の戸幅方向両端部のそれぞれにランナー２８，２８を設けた例を示している。これらランナー２８，２８には、戸厚方向に沿う軸回りに回転する転動体（ローラー）が戸厚方向に間隔を空けて設けられている。戸パネル２７は、これらランナー２８，２８を介して上レール１２に吊下支持される上吊型とされている。
【００１４】
上レール１２は、戸パネル２７のランナー２８，２８をガイドするガイド溝１３を下向きに開口するように設けた構成とされている。この上レール１２は、全開位置と閉鎖位置とを移動する戸パネル２７の上端側のガイドが可能なように、適宜の長さ寸法とされている。また、この上レール１２は、上枠１１に設けられた受入溝１１ｂに嵌め込まれる構成とされている。上枠１１の受入溝１１ｂは、上枠１１の下面において開口するように、上枠１１の全長に亘って設けられている。本実施形態では、上枠１１の受入溝１１ｂを、上レール１２の概ね全体を受入可能とした構成としている。
また、この上レール１２は、ガイド溝１３の溝底側を区画する天壁部とガイド溝１３の溝幅方向両側を区画する両側壁部とを備えている。また、上レール１２は、これら両側壁部の下端部から互いに向き合う方向に突出し、ランナー２８，２８に設けられた転動体を走行自在に案内支持する案内片部を備えている。また、図例では、上レール１２の両側壁部の下端部からレール幅方向外側に向けて突出し、上枠１１の受入溝１１ｂの両開口縁に当接される突片部を設けた構成としている。
【００１５】
また、戸パネル２７の下端部には、下向きに開口するガイド溝２９が設けられている。このガイド溝２９に、床２側に設けられ、戸パネル２７の下端側をガイドする下端ガイド部材のガイドピン１８が差し入れられる構成とされている。この下端ガイド部材としては、磁石を設けたガイドピン１８を上下方向に出没自在に収容し、床２に埋め込まれるように配設されるマグネットガイドとしてもよい。この場合は、戸パネル２７のガイド溝２９に、この下端ガイド部材のガイドピン１８に対応させて磁石や磁性体等を設けてもよい。戸パネル２７の下端側をガイドする下端ガイド部材としては、その他、種々の構成とされたものでもよい。なお、この下端ガイド部材は、戸装置１が備えたものでもよい。
【００１６】
また、戸パネル２７の戸先側端部の戸厚方向両側には、開閉する際に操作される引手２７ａが設けられている。この引手２７ａは、上下方向に延びる棒状（バー状）の把持部を備えた構成とされたものでもよく、戸パネル２７の戸厚方向両面から凹むように設けられたものでもよい。
また、戸パネル２７は、枠状芯材に表面材を貼着した構成とされたいわゆるフラッシュパネルでもよい。また、戸パネル２７は、枠状芯材の中空部に、ハニカムコア（ペーパーコア）などのコア材が収納された構成とされたものでもよい。
また、図例では、戸パネル２７を、その戸厚方向両面が全面に亘って平坦面状とされたものとしているが、このような態様に限られない。例えば、戸パネル２７を、両側の縦框間に透光板や鏡板状板材を設けたいわゆる二方框状パネルとしたり、さらに上下の横框を設けた四方框状パネルとしたり、透光部（透光窓）やガラリ等が設けられたものとしてもよく、その他、種々の変形が可能である。
【００１７】
透光壁パネル２０は、図１及び図２に示すように、透光板２５と、この透光板２５の四周を囲むように固定されたフレーム２１，２２，２３，１６と、を備えており、一方向（上下方向）に長尺な略矩形平板状とされている。この透光壁パネル２０は、閉鎖位置の戸パネル２７の戸幅方向一方側に配される構成とされている。この透光壁パネル２０は、壁厚方向一方側に片寄らせて設置され、その壁厚方向他方側に、開放位置の戸パネル２７が沿うように納められる構成とされている。
また、この透光壁パネル２０のフレームは、上枠１１に当接される上部フレーム２１と、第１縦枠１４に当接される第１側部フレーム２３と、下方側の当接対象としての床２に当接される下部フレーム２２と、を備えている。また、透光壁パネル２０のフレームは、第１側部フレーム２３よりも見込方向（壁厚方向）に沿う寸法（見込寸法）が大とされ出入口８を区画する中間縦枠１６が一体化された第２側部フレームを備えている。本実施形態では、中間縦枠１６自体を第２側部フレームとしている。
【００１８】
この透光壁パネル２０のパネル高さ寸法は、床２から上枠１１までの上下寸法に応じた寸法とされている。本実施形態では、後記するように、上部フレーム２１が上枠１１に設けられた凹溝１１ａに嵌め込まれる構成としている。従って、透光壁パネル２０のパネル高さ寸法を、床２から上枠１１までの上下寸法に凹溝１１ａに嵌め込まれる上部フレーム２１の寸法を加えた寸法としている。
また、透光壁パネル２０のパネル幅寸法は、当該戸装置１が設置される開口部４の開口幅や戸パネル２７の戸幅寸法、戸パネル２７の引き残しの有無等に応じて適宜の寸法としてもよい。
【００１９】
透光板２５は、アクリルやポリカーボネート等の合成樹脂系材料や、ガラス等の透光性材料から形成されている。例えば、この透光板２５を、二枚のガラス板を厚さ方向に接合した合わせガラスとしてもよい。
また、この透光板２５は、略無色透明とされたものに限られず、有色透明とされたものや半透明とされたものでもよい。この透光板２５としては、例えば、透明材料に着色剤が添加されて有色透明とされたものや、樹脂フィルム等が積層されて有色透明とされたものでもよい。また、この透光板２５としては、スモークガラス状やすりガラス状とされたものでもよく、また、二枚の透明（透光）パネル間に、和紙等のシート材を介在させた構成とされたものでもよく、その他、種々の構成とされたものでもよい。
【００２０】
また、この透光板２５は、全体に亘って略一様な厚さとされている。また、この透光板２５の厚さ寸法は、図例では、戸パネル２７の戸厚寸法よりも小とされている。この透光板２５の厚さ寸法は、強度上の観点等から適宜の厚さとしてもよく、例えば、３ｍｍ〜１５ｍｍ程度としてもよい。また、この透光板２５のパネル高さ寸法（長さ寸法）及びパネル幅寸法は、当該透光板２５が透光壁パネル２０のパネル高さ方向及びパネル幅方向の概ね全体を占めるような寸法とされている。つまり、透光壁パネル２０は、透光板２５の四周に縁状に四周のフレーム２１，２２，２３，１６を設けた構成とされている。
【００２１】
四周のフレーム２１，２２，２３，１６は、透光板２５の四周端部を受け入れる受入溝２１ａ，２２ａ，２３ａ，１６ａを設けた構成とされている。これら受入溝２１ａ，２２ａ，２３ａ，１６ａは、各フレーム２１，２２，２３，１６の略全長に亘って延びるように設けられている。また、図例では、これら受入溝２１ａ，２２ａ，２３ａ，１６ａを、各フレーム２１，２２，２３，１６の見込方向略中央部に位置するように設けた例を示している。また、これら受入溝２１ａ，２２ａ，２３ａ，１６ａには、透光板２５の四周端部を保持するガスケット（グレイジングガスケット）２６，２６，２６，２６が嵌め込まれている。このようなガスケット２６としては、断面略Ｃ字状とされたいわゆるグレイジングチャンネルやパネル厚さ方向に分離されたグレイジングビードでもよい。
また、上部フレーム２１、下部フレーム２２及び第１側部フレーム２３は、互いに同様の構成とされており、本実施形態では、金属系材料または合成樹脂系材料から形成されたものとしている。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
【００２２】
また、これら上部フレーム２１、下部フレーム２２及び第１側部フレーム２３の見込寸法は、互いに略同寸法とされている。これら上部フレーム２１、下部フレーム２２及び第１側部フレーム２３の見込寸法は、透光板２５の厚さや透光板２５の保持性の観点や見栄え上の観点等から適宜の寸法としてもよく、例えば、１０ｍｍ〜５０ｍｍ程度としてもよい。また、上部フレーム２１及び下部フレーム２２の上下方向に沿う寸法（見付寸法）並びに第１側部フレーム２３のパネル幅方向に沿う寸法（見付寸法）も概ね同様、透光板２５の保持性の観点や見栄え上の観点等から適宜の寸法としてもよく、例えば、１０ｍｍ〜５０ｍｍ程度としてもよい。
また、図例では、これら上部フレーム２１、下部フレーム２２及び第１側部フレーム２３の長手方向に見た断面形状を互いに略同寸同形状とした例を示しているが、互いに異なる形状としてもよい。また、これら上部フレーム２１、下部フレーム２２及び第１側部フレーム２３に、それぞれを固定対象に固定する止具が挿通される挿通孔等を設けた構成としてもよい。
【００２３】
第２側部フレームを構成する中間縦枠１６は、開口部４の開口高方向に長尺状とされている。この中間縦枠１６は、第１側部フレーム２３と略平行状に、床２から天井に至るように設けられる。また、この中間縦枠１６は、開口幅方向に厚さ方向を沿わせて配される帯板状とされている。また、中間縦枠１６の壁厚方向他方側となる戸パネル２７に対面する側の端部に、戸パネル２７の透光壁パネル２０に対面する側の面に摺るように接する隙間遮蔽部材（モヘア部材）１６ｃを設けた例を示している。
この中間縦枠１６は、壁厚方向他方側に戸パネル２７の移動スペースが形成されるように、壁厚方向に沿う見込寸法が両側の第１縦枠１４及び第２縦枠１５の見込寸法よりも小とされている。この中間縦枠１６の見込寸法は、壁厚寸法や戸パネル２７の開閉態様等に応じて適宜の寸法としてもよく、例えば、４０ｍｍ〜１００ｍｍ程度等としてもよい。また、この中間縦枠１６のパネル幅方向に沿う寸法（見付寸法）は、第１縦枠１４及び第２縦枠１５の見付寸法よりも大とされている。この中間縦枠１６の見付寸法は、例えば、２０ｍｍ〜３０ｍｍ程度とされた標準的な枠部材の見付寸法よりも大としてもよく、例えば、３５ｍｍ〜６０ｍｍ程度としてもよい。
【００２４】
この中間縦枠１６を含む四周のフレーム２１，２２，２３，１６は、突き合わせられる端部同士がねじや釘等の止具や接着剤等によって接合されたものでもよい。本実施形態では、上下の上部フレーム２１及び下部フレーム２２と左右の第１側部フレーム２３及び中間縦枠１６とを縦勝状に接合した構成としているが（図３（ｂ）及び図４（ｂ）参照）、横勝状に接合した構成としてもよい。
また、本実施形態では、図３（ｂ）に示すように、中間縦枠１６の上端側に、上枠１１に設けられた凹溝１１ａに嵌め込まれる突部１６ｂを設けた構成としている。この突部１６ｂは、当該中間縦枠１６の上端部から上方に向けて突出するように設けられている。また、この突部１６ｂは、中間縦枠１６の上端部に接合された上部フレーム２１と見込方向で一致した位置となるように設けられている。図例では、この突部１６ｂを中間縦枠１６の見込方向略中央部に設けた例を示している。
【００２５】
また、本実施形態では、この突部１６ｂの見込方向に沿う寸法及び突出寸法を、上部フレーム２１の見込寸法及び見付寸法と略同寸法としている。つまり、この突部１６ｂは、パネル幅方向に見て、上部フレーム２１と互いに重なり合うように設けられている。また、この突部１６ｂの見付方向に沿う寸法は、中間縦枠１６の見付寸法と同寸法とされている。
なお、この突部１６ｂは、中間縦枠１６自体の上端部に設けられたものに限られず、中間縦枠１６の上端部に横勝状に接合された上部フレーム２１の端部によって構成されたものでもよい。
また、中間縦枠１６の上端部及び下端部に、上枠１１及び床２に止着されるねじや釘等の止具の挿通孔や、止具を覆うように取り付けられる止具キャップ等を設けた構成としてもよい。
【００２６】
また、本実施形態では、この中間縦枠１６及び戸枠１０を、木質系材料から形成されたものとしている。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、これら戸枠１０及び中間縦枠１６は、このような木質系材料を基材として、その表面側に突板や樹脂シート等の化粧シートが貼着された構成とされたものでもよい。なお、木質系材料から形成された戸枠１０及び中間縦枠１６としては、全体が木質系材料からなるものに限られず、大半が木質系材料から形成されたものであればよい。
【００２７】
戸枠１０の上枠１１は、開口部４の開口幅方向に長尺状とされている。この上枠１１は、上下方向に厚さ方向を沿わせて配される帯板状とされている。
また、この上枠１１には、透光壁パネル２０の上部フレーム２１が嵌め込まれる凹溝１１ａが設けられている。この凹溝１１ａは、上枠１１の下方側に向く下面（見込面）において開口するように、かつ上枠１１の長手方向に延びるように設けられている。また、凹溝１１ａは、溝長手方向に見て略方形溝状とされている。また、この凹溝１１ａは、上記のように壁厚方向一方側に片寄って設置される透光壁パネル２０に応じた位置となるように、上枠１１の壁厚方向一方側部位に設けられている。
【００２８】
また、この凹溝１１ａの溝長さ寸法は、上部フレーム２１の長さ寸法（透光壁パネル２０の幅寸法）に応じた寸法とされたものでもよい。本実施形態では、図３に示すように、凹溝１１ａを上枠１１の全長に亘って設けておらず、上枠１１の第１縦枠１４側部位に設けた構成としている。この凹溝１１ａの溝長さ寸法は、透光壁パネル２０の幅寸法に、後記するように施工時にパネル幅方向に沿ってスライドされる透光壁パネル２０のスライド代を足し合わせた寸法としてもよい。
また、この凹溝１１ａのパネル厚さ方向に沿う溝幅寸法は、上部フレーム２１の嵌込が可能なように、上部フレーム２１の見込寸法に応じた寸法とされている。また、この凹溝１１ａの上下方向に沿う溝深さ寸法は、上部フレーム２１の嵌込が可能なように、上部フレーム２１の見付寸法に応じた寸法とされている。本実施形態では、上部フレーム２１の略全体がこの凹溝１１ａに嵌め込まれる構成としている。なお、このような態様に代えて、上部フレーム２１を、一部が下方側に露出するように凹溝１１ａに嵌め込まれる構成としてもよい。
【００２９】
また、上枠１１は、両側の第１縦枠１４及び第２縦枠１５とによって三方枠状に枠組みされた状態で、開口部４に設置される。また、上枠１１は、開口部４の下方側に向く適宜の枠下地に固定されるものでもよい。
また、三方枠を構成する上枠１１と両側の第１縦枠１４及び第２縦枠１５とは、止具やダボ等の接合部、接着剤等によって接合されるものでもよい。これら上枠１１と両側の第１縦枠１４及び第２縦枠１５とは、図３（ａ）に示すように、縦勝状に接合されるものでもよい。
また、本実施形態では、三方枠は、上枠１１の下面が上枠１１の見込方向両側に設けられる天井パネル６，６の下方側に向く表面と略面一状となるように設置される構成とされている。
【００３０】
両側の第１縦枠１４及び第２縦枠１５は、開口部４の開口高方向に長尺状とされている。これら第１縦枠１４及び第２縦枠１５は、図２に示すように、床２から天井に至るように設けられる。本実施形態では、上記のように上枠１１が天井パネル６，６間に言わば埋込状に設けられるので、これら両側の第１縦枠１４と第２縦枠１５とによって言わば二方枠状の外観を呈する。また、これら第１縦枠１４及び第２縦枠１５は、開口幅方向に厚さ方向を沿わせて配される帯板状とされている。また、これら第１縦枠１４及び第２縦枠１５は、開口部４の開口幅方向中央側に向く適宜の枠下地に固定されるものでもよい。
また、これら第１縦枠１４及び第２縦枠１５の壁厚方向他方側部位には、図１（ｂ）に示すように、戸パネル２７の戸幅方向の各端部を受け入れる戸じゃくり溝１４ｃ，１５ｂが互いに向き合う方向に向けて開口するように設けられている。
【００３１】
第１縦枠１４には、透光壁パネル２０の第１側部フレーム２３が嵌め込まれる凹溝１４ａが設けられている。この凹溝１４ａは、第１縦枠１４の開口幅方向中央側に向く内側面（見込面）において開口するように、かつ第１縦枠１４の長手方向に延びるように設けられている。この凹溝１４ａは、見込方向で上枠１１の凹溝１１ａに略一致した位置となるように設けられている。また、この凹溝１４ａは、第１縦枠１４の全長に亘って設けられている。
また、この凹溝１４ａは、上枠１１の凹溝１１ａと同様、溝長手方向に見て略方形溝状とされ、溝幅寸法及び溝深さ寸法が第１側部フレーム２３の嵌込が可能なように、第１側部フレーム２３の見込寸法及び見付寸法に応じた寸法とされている。本実施形態では、上記同様、第１側部フレーム２３の略全体がこの凹溝１４ａに嵌め込まれる構成としているが、第１側部フレーム２３を、一部が開口幅方向中央側に露出するように凹溝１４ａに嵌め込まれる構成としてもよい。
【００３２】
また、本実施形態では、これら第１縦枠１４及び第２縦枠１５の見込方向両端部に、額縁部材１７，１７，１７，１７の係合片部を受け入れる受入溝１４ｂ，１４ｂ，１５ａ，１５ａを設けた構成としている。つまり、本実施形態では、これら第１縦枠１４及び第２縦枠１５を、ケーシング枠状としている。これら受入溝１４ｂ，１４ｂ，１５ａ，１５ａは、見込方向外側に向けて開口し、各縦枠１４，１５の長手方向に延びるように全長に亘って設けられている。額縁部材１７，１７，１７，１７は、互いに同様の構成とされている。なお、これら額縁部材１７，１７，１７，１７の具体的構成の一例を、一つの額縁部材１７を例にとって説明する。
額縁部材１７は、壁厚方向に厚さ方向を沿わせて配される平板状部の壁幅方向（開口部４の開口幅方向に沿う方向）両側の各端部から壁芯に向けて突出するように設けられた係合片部及び当接片部を備えている。この額縁部材１７は、係合片部が受入溝１４ｂ，１４ｂ，１５ａ，１５ａに受け入れられ、当接片部が壁体３の壁面に当接されて設置される。この額縁部材１７は、止具や接着剤等によって固定されるものでもよい。
【００３３】
また、本実施形態では、この額縁部材１７を、壁幅方向に沿う見付寸法が比較的に大とされた幅広状とされたものとしている。この額縁部材１７の見付寸法は、標準的な見付寸法（例えば、３０ｍｍ前後）よりも幅広状とされたものでもよく、例えば、４０ｍｍ〜１００ｍｍ程度でもよい。
なお、額縁部材１７，１７，１７，１７は、互いに同様の構成とされたものに限られず、例えば、壁厚等に応じて、壁厚方向一方側の額縁部材１７，１７の係合片部の壁厚方向に沿う寸法が他方側よりも大とされたようなものでもよい。また、これら額縁部材１７は、上記同様な木質系材料から形成されたものでもよい。
また、第１縦枠１４及び第２縦枠１５を、このような額縁部材１７が設けられるケーシング枠状とした態様に代えて、固定枠状とした態様としてもよい。さらには、これら第１縦枠１４及び第２縦枠１５が壁体３の壁面を構成する壁クロス（壁紙）等の化粧シートによって一連状に覆われる構成とされたものでもよい。
【００３４】
次に、本実施形態に係る戸装置１の施工方法の一例について説明する。
同施工方法は、図３（ａ）に示すように、上枠１１の両端に第１縦枠１４及び第２縦枠１５が接合された三方枠を開口部４に設置する工程を備えている。また、この三方枠は、上記のように、上枠１１の下面が上枠１１の見込方向両側に設けられる天井パネル６，６の表面と略面一状となるように設置される（図４（ａ）参照）。
また、同施工方法は、図４に示すように、透光壁パネル２０の上部フレーム２１を上枠１１に当接させ、下部フレーム２２を床２に当接させ、第１側部フレーム２３を第１縦枠１４に当接させて透光壁パネル２０を設置する工程を備えている。
【００３５】
本実施形態では、図３（ｂ）に示すように、上枠１１の凹溝１１ａに、透光壁パネル２０の上部フレーム２１を嵌め入れるようにしている。この際、図４（ａ）に示すように、透光壁パネル２０を、斜め状にして上部フレーム２１を上枠１１の凹溝１１ａに嵌め入れ、起立させる。そして、図４（ｂ）に示すように、上部フレーム２１を上枠１１の凹溝１１ａに仮保持させた状態で、透光壁パネル２０を第１縦枠１４側にスライドさせるように移動させ、第１側部フレーム２３を、第１縦枠１４の凹溝１４ａに嵌め入れる。これにより、透光壁パネル２０は、上端側の上部フレーム２１が上枠１１に仮保持され、パネル幅方向一方側の第１側部フレーム２３が第１縦枠１４に仮保持された状態となる。
そして、上部フレーム２１、下部フレーム２２及び第１側部フレーム２３を適宜、固定対象に止具等によって固定し、中間縦枠１６の上端部を上枠１１に固定し、中間縦枠１６の下端部を床２に固定するようにしてもよい。
これにより、開口部４に設置された三方枠内の開口幅方向一方側には透光壁パネル２０が設置され、三方枠内の開口幅方向他方側には戸パネル２７によって開閉される出入口８が区画形成される。なお、上記のように透光壁パネル２０を第１縦枠１４側にスライドさせた後に出入口８側において露出する上枠１１の凹溝１１ａの端部を、適宜の充填材やキャップ等によって覆うようにしてもよい。
【００３６】
また、両側の第１縦枠１４及び第２縦枠１５に、額縁部材１７，１７，１７，１７を取り付ける。また、上枠１１の下面と略面一状に設けられた上枠１１の見込方向両側の天井パネル６，６の表面及び上枠１１の下面に一連状に化粧シート７，７を貼着する。この化粧シート７，７は、合成樹脂シートや、壁クロス等でもよい。これら両側の化粧シート７，７は、出入口８側では、上レール１２の両側の突片部に突き付けるように貼着されたものでもよい。また、これら両側の化粧シート７，７は、透光壁パネル２０側では、透光壁パネル２０及び上レール１２の一方の突片部に突き付けるように貼着されたものでもよい。また、透光壁パネル２０と上レール１２の他方の突片部との間において露出する上枠１１の下面を覆うように化粧シート７を貼着するようにしてもよい。また、上枠１１の見込方向両側の天井パネル６，６の上枠側端部は、上枠１１の枠下地の見込方向両側に設けられた野縁等の天井下地５，５に固定するようにしてもよい。
また、適宜、戸パネル２７を建て付けるようにしてもよい。
【００３７】
上記のように施工された戸装置取付構造は、図１及び図２に示すように、開口部４の開口幅方向一方側に透光壁パネル２０が設置され、他方側に閉鎖位置の戸パネル２７が設置された状態となる。また、これら透光壁パネル２０及び戸パネル２７が床２から天井面に概ね至るように設けられた状態となる。また、略面一状とされた上枠１１の下面及びその見込方向両側の天井パネル６，６の表面に、一連状に化粧シート７，７が貼着された状態となる。このような構成とすれば、上枠１１が目立ち難くなり、また、戸パネル２７及び透光壁パネル２０が床２から天井に略至る高さとなり、上枠１１の上方側に垂れ壁等を設けたものと比べて、縦方向に長尺状のすっきりとした外観を呈することができる。なお、このような態様に代えて、上枠１１の上方側に垂れ壁状の壁部を設けた構造等としてもよい。また、上記施工手順は、一例に過ぎず、各部材の機能を阻害しない限りにおいて別手順で行うようにしてもよく、その他、種々の変形が可能である。
【００３８】
本実施形態に係る戸装置１は、上述のような構成としたことで、閉鎖位置の戸パネル２７の側方に透光性の付与が可能でありながらも、施工性を向上させることができる。
つまり、戸装置１は、透光壁パネル２０と、この透光壁パネル２０の幅方向一方側の出入口８を開閉する戸パネル２７と、を備えている。従って、閉鎖位置の戸パネル２７の側方における採光性や空間演出性を向上させることができる。
また、透光壁パネル２０に、第１側部フレーム２３よりも見込寸法が大とされ出入口８を区画する中間縦枠１６が一体化された第２側部フレームを設けた構成としている。従って、上枠１１、第１縦枠１４及び第２縦枠１５を有した戸枠１０を設置した後に、透光壁パネル２０を位置決めして設置すれば、中間縦枠１６が透光壁パネル２０とともに設置されることとなる。これにより、長尺な中間縦枠及び壁パネルのそれぞれを垂直となるように個別に位置決めする必要がなく、施工性を向上させることができる。
【００３９】
また、本実施形態では、下部フレーム２２の当接対象を床２としているので、下枠に固定したり、戸パネル２７の下方側に下枠が設けられるものと比べて、戸パネル２７及び透光壁パネル２０の下方側の見栄えを向上させることができる。なお、下部フレーム２２の当接対象としての床２上に下部フレーム２２を仮保持するベース部材を設けた構成としてもよい。例えば、下部フレーム２２または下部フレーム２２に設けられた突部を受け入れる凹部を設けたベース部材を設けたり、下部フレーム２２に設けられた凹部に嵌め込まれる突部を構成するベース部材を設けたりしてもよい。
【００４０】
また、本実施形態では、上枠１１に、透光壁パネル２０の上部フレーム２１が嵌め込まれる凹溝１１ａを設けた構成としている。従って、透光壁パネル２０の上部フレーム２１を上枠１１の凹溝１１ａに嵌め込んで仮保持させることができる。また、仮保持させた状態で、透光壁パネル２０を第１縦枠１４側にスライドさせて設置することができ、透光壁パネル２０の施工性をより向上させることができる。また、透光壁パネル２０の上部フレーム２１を目立ち難くすることができ、上部フレーム２１を見栄え良く納めることができる。また、本実施形態では、上枠１１の凹溝１１ａを、上部フレーム２１の略全体を収容可能な構成としているので、上部フレーム２１をより目立ち難くすることができる。なお、このような態様に代えて、上部フレーム２１に上枠１１の凹溝１１ａに嵌め込まれる突部を設けた構成としてもよく、さらには、上枠１１に上部フレーム２１を仮保持する凹溝１１ａを設けていない構成としてもよい。この場合は、上部フレーム２１または上部フレーム２１に設けられた突部を受け入れる凹部を設けたベース部材を上枠１１に設けたり、上部フレーム２１に設けられた凹部に嵌め込まれる突部を構成するベース部材を上枠１１に設けたりしてもよい。
【００４１】
また、本実施形態では、中間縦枠１６の上端側に、上枠１１の凹溝１１ａに嵌め込まれる突部１６ｂを設けた構成としている。従って、中間縦枠１６の上端側に突部１６ｂを設けていないものと比べて、中間縦枠１６の上端面と上枠１１の下面との間に隙間が生じた場合にも、この隙間からの光漏れ等を防止することができ、この隙間を目立ち難くすることができる。なお、このような突部１６ｂを中間縦枠１６の上端側に設けていない構成としてもよい。この場合は、透光壁パネル２０を第１縦枠１４側にスライドさせて第１側部フレーム２３を第１縦枠１４の凹溝１４ａに嵌め込んだ状態で、上枠１１の凹溝１１ａの端部が中間縦枠１６によって覆われる構成とされたものでもよい。
また、本実施形態では、中間縦枠１６自体を透光壁パネル２０の第２側部フレームとしている。従って、別体とされた第２側部フレームに対して中間縦枠１６が固定されて一体化されたものと比べて、第２側部フレームが目立つようなことがなく、また、部品点数を削減することができる。
【００４２】
また、本実施形態では、第１縦枠１４に、透光壁パネル２０の第１側部フレーム２３が嵌め込まれる凹溝１４ａを設けた構成としている。従って、第１縦枠１４の凹溝１４ａに、透光壁パネル２０の第１側部フレーム２３を嵌め込んで透光壁パネル２０を設置することができ、透光壁パネル２０の施工性をより向上させることができる。また、第１側部フレーム２３を目立ち難くすることができ、第１側部フレーム２３を見栄え良く納めることができる。また、本実施形態では、上記同様、第１縦枠１４の凹溝１４ａを、第１側部フレーム２３の略全体を収容可能な構成としているので、第１側部フレーム２３をより目立ち難くすることができる。なお、このような態様に代えて、第１側部フレーム２３に第１縦枠１４の凹溝１４ａに嵌め込まれる突部を設けた構成としてもよく、さらには、第１縦枠１４に第１側部フレーム２３を仮保持する凹溝１４ａを設けていない構成としてもよい。この場合は、第１側部フレーム２３を、第１縦枠１４の見込面に当接させて設置したり、見込面との間に隙間遮蔽部材を介在させて設置したりしてもよい。
【００４３】
また、本実施形態では、透光壁パネル２０の上部フレーム２１、下部フレーム２２及び第１側部フレーム２３を、金属系材料または合成樹脂系材料から形成されたものとし、中間縦枠１６及び戸枠１０を、木質系材料から形成されたものとしている。従って、透光板２５の少なくとも三方を囲むフレーム２１，２２，２３の強度の確保が可能でありながらも、透光壁パネル２０の周囲を木質感のあるものにすることができ、建物内の間仕切壁の開口部に設置される内装用として好適なものとなる。特に、上部フレーム２１及び第１側部フレーム２３が上枠１１及び第１縦枠１４の凹溝１１ａ，１４ａに嵌め込まれ、中間縦枠１６自体が第２側部フレームを構成しているので、上部フレーム２１及び左右の側部フレーム２３が目立ち難くなる。これにより、透光板２５の周囲近傍に木質系材料から形成された枠部材（上枠１１、第１縦枠１４及び中間縦枠１６）が設けられることとなり、透光板２５が木製枠に嵌め込まれたような外観を呈することができる。
【００４４】
次に、本発明に係る他の実施形態について、図面を参照しながら説明する。
なお、以下の実施形態では、上記第１実施形態との相違点について主に説明し、同様の構成については、同一の符号を付し、その説明を省略または簡略に説明する。
図５は、第２実施形態に係る戸装置の一例を模式的に示す図である。
【００４５】
本実施形態に係る戸装置１Ａは、図５に示すように、下枠１９を備えている。つまり、戸枠１０Ａを、四方枠状としている。また、上記第１実施形態では、戸パネル２７を上吊型でスライド自在とした例を示したが、本実施形態では、戸パネル２７Ａを下荷重型でスライド自在としている。
下枠１９は、開口部４の開口幅方向に長尺状とされている。この下枠１９は、上下方向に厚さ方向を沿わせて配される帯板状とされている。また、この下枠１９には、下端ガイド部材に代えて、下レール１８Ａが埋込状に設けられている。下枠１９には、この下レール１８Ａを受け入れる凹溝１９ａが上方に向けて開口するように、かつ下枠１９の長手方向に延びるように設けられている。また、この凹溝１９ａは、下枠１９の壁厚方向他方側部位に設けられている。なお、図例では、下枠１９の見込寸法を上枠１１Ａの見込寸法と略同寸法とした例を示しているが、上枠１１Ａよりも小としたり、大としたりしてもよい。
【００４６】
下レール１８Ａは、戸パネル２７Ａの下端部に設けられた戸車２９Ａを走行自在にガイドするガイド溝を上向きに開口するように設けた構成とされている。
また、本実施形態では、上枠１１Ａに、戸パネル２７Ａの上端部２８Ａを受け入れてガイドするガイド溝１３Ａを設けた構成としている。図例では、このガイド溝１３Ａを、上枠１１Ａに設けられた受入溝１１Ａｂに嵌め込まれる溝部材１２Ａによって区画した例を示している。
また、本実施形態では、透光壁パネル２０Ａの第２側部フレーム２４を、別体とされた中間縦枠１６Ａが固定一体化された構成としている。
第２側部フレーム２４には、上記同様、透光板２５の端部を受け入れる受入溝２４ａが長手方向に延びるように設けられている。また、この受入溝２４ａには、上記同様、ガスケット２６が嵌め込まれている。また、この第２側部フレーム２４は、上記同様な金属系材料または合成樹脂系材料から形成されたものとしてもよい。また、この第２側部フレーム２４の見込寸法及び見付寸法は、第１側部フレーム２３の見込寸法及び見付寸法と略同寸法とされている。
【００４７】
中間縦枠１６Ａには、透光板２５の端部を受け入れる受入溝に代えて、第２側部フレーム２４が嵌め込まれる凹溝１６Ａａが設けられている。本実施形態では、この凹溝１６Ａａを、第２側部フレーム２４の略全体を嵌込可能としているが、第２側部フレーム２４の一部が第１縦枠１４側に露出するように嵌込可能な構成としてもよい。また、この中間縦枠１６Ａと第２側部フレーム２４とは、適宜の接着剤や止具によって互いに固定されたものでもよい。
上記構成とされた本実施形態に係る戸装置１Ａも、上記第１実施形態において説明した施工方法と概ね同様にして施工可能である。本実施形態では、四方枠状に枠組みされた戸枠１０Ａを設置した後に、透光壁パネル２０Ａを設置するようにしてもよい。また、本実施形態に係る戸装置１Ａにおいても、上記第１実施形態と概ね同様の効果を奏する。
【００４８】
なお、下枠１９に、透光壁パネル２０Ａの下部フレーム２２が嵌め込まれる凹溝を設けた構成としてもよい。この場合は、透光壁パネル２０Ａを、上部フレーム２１が上枠１１Ａの凹溝１１ａに嵌め込まれた状態で、下部フレーム２２を下枠１９の凹溝に嵌め入れてけんどん状に建て付けられる構成としてもよい。また、この場合は、上枠１１Ａの凹溝１１ａの溝深さ寸法等を適宜、変形すればよい。
また、上記各実施形態に係る戸装置１，１Ａの互いに異なる構成を、適宜、組み替えたり、組み合わせたりして適用するようにしてもよい。
また、上記各実施形態では、戸装置１，１Ａを、片引き状に配される一枚の戸パネル２７，２７Ａを備えた構成としているが、引き違い状に配される複数枚の戸パネル２７，２７Ａを備えた構成としてもよい。また、両引き状（引き分け状）に配される複数枚の戸パネル２７，２７Ａを備えた構成としてもよい。この場合は、第２縦枠１５側にも透光壁パネル２０，２０Ａを設けた構成としてもよい。つまり、開口幅方向両側に袖壁として配される透光壁パネル２０，２０Ａを備えた構成としてもよい。
【００４９】
また、戸パネル２７，２７Ａを、引戸を構成するものとした態様に代えて、二枚の戸体を折畳及び展開自在に連結した折戸を構成するものとしたり、上下方向に沿う軸回りに回転自在とされた開き戸を構成するものとしたりしてもよい。戸パネル２７，２７Ａを、開き戸を構成するものとした場合には、第２縦枠１５または中間縦枠１６，１６Ａに蝶番等の回転連結部材を介して戸パネル２７，２７Ａを回転自在に連結した構成等としてもよい。また、この場合は、上枠１１，１１Ａや第２縦枠１５、中間縦枠１６，１６Ａ等に戸当たり部材の取付溝を設けた構成等としてもよい。
上記各実施形態に係る戸装置１，１Ａの各部の具体的な構成は、上記したような構成に限られず、その他、種々の変形が可能である。
【符号の説明】
【００５０】
１，１Ａ      戸装置
１０，１０Ａ  戸枠
１１，１１Ａ  上枠
１１ａ        凹溝
１４          第１縦枠
１５          第２縦枠
１６          中間縦枠（第２側部フレーム）
１６Ａ        中間縦枠
１６ｂ        突部
２０，２０Ａ  透光壁パネル
２１          上部フレーム
２２          下部フレーム
２３          第１側部フレーム
２４          第２側部フレーム
２５          透光板
２７，２７Ａ  戸パネル
８            出入口
【図１】
2018184797.tif 000003
【図２】
2018184797.tif 000004
【図３】
2018184797.tif 000005
【図４】
2018184797.tif 000006
【図５】
2018184797.tif 000007